(57)【要約】【課題】安価で、容易に金属等の光沢及び質感を表現できる表示盤及びその製造方法を提供すること。【解決手段】樹脂基板２と、この上に形成された有色の意匠層３と、この意匠層３上又は意匠層３が形成された意匠面２１とは反対側の面に形成された、凹部４２と凸部４１とが交互に複数配されてなる凹凸層４とを有する表示盤及びその製造方法である。凹凸層４は、凹部４２の厚みよりも凸部４１の厚みが大きくなるように紫外線硬化性インクをインクジェット印刷により印刷し硬化させてなる。凹凸層４の形成においては、インクジェット印刷装置のインク吐出部を保持部に対して相対的に毎分２０〜２００ｍで、一方向Ａに移動させながら紫外線硬化性インクを吐出し、紫外線を照射して印刷する動作と、インク吐出部に対して、インクジェット装置の保持部を一方向Ａに対して直角に１ピッチ移動させる動作とを繰り返す。【選択図】図２
2007249028.tif 000002
【特許請求の範囲】
【請求項１】
樹脂基板と、該樹脂基板上に形成された有色の意匠層と、該意匠層上又は上記樹脂基板における上記意匠層が形成された意匠面とは反対側の面に形成された、凹部と凸部とが交互に複数配されてなる凹凸層とを有する表示盤であって、
上記凹凸層は、上記凹部の厚みよりも上記凸部の厚みが大きくなるように紫外線硬化性インクをインクジェット印刷により印刷し硬化させてなることを特徴とする表示盤。
【請求項２】
請求項１において、上記意匠層の少なくとも一部は、メタリック顔料、金属微粒子、及び金属箔から選ばれる１種以上を含有することを特徴とする表示盤。
【請求項３】
請求項１又は２において、上記意匠層は、１層又は２層以上の着色層からなり、該着色層のうち少なくとも一層は、メタリック顔料、金属粒子、及び金属箔から選ばれる１種以上を含有する金属色着色層からなることを特徴とする表示盤。
【請求項４】
請求項３において、上記金属色着色層は、上記樹脂基板の上記意匠面上に、ＪＩＳＫ５６００に規定する表面６０度−光沢度５以上の下地印刷層を介して形成されており、上記凹凸層は、上記意匠層上に形成されていることを特徴とする表示盤。
【請求項５】
請求項１〜４のいずれか一項において、上記樹脂基板は、厚さ１ｍｍ以下の透明の樹脂基板からなることを特徴とする表示盤。
【請求項６】
請求項５において、上記樹脂基板は、上記意匠面側の表面にＪＩＳＫ５６００に規定する表面６０度−光沢度５以上の鏡面を有し、該鏡面上には、メタリック顔料、金属粒子、及び金属箔から選ばれる１種以上を含有する金属色着色層が形成されていると共に、上記凹凸層は、上記樹脂基板における上記意匠面とは反対側の面に形成されていることを特徴とする表示盤。
【請求項７】
請求項１〜６のいずれか一項において、上記凹凸層は、透明の上記紫外線硬化性インクよりなることを特徴とする表示盤。
【請求項８】
請求項１〜６のいずれか一項において、上記凹凸層は、有色であり、ブラック、シアン、マゼンダ、イエロー、ライトブラック、ライトシアン、ライトマゼンダ、ライトイエロー、及びホワイトから選ばれる１種又は２種以上の色の上記紫外線硬化性インクよりなることを特徴とする表示盤。
【請求項９】
請求項１〜８のいずれか一項において、上記凹凸層は、解像度１２００ＤＰＩ×１２００ＤＰＩ以上のインクジェット印刷によって形成されていることを特徴とする表示盤。
【請求項１０】
請求項１〜９のいずれか一項において、上記凹部と上記凸部との厚み差は、１〜３００μｍであることを特徴とする表示盤。
【請求項１１】
請求項１〜１０のいずれか一項において、上記凹凸層は、上記インクジェット印刷により、５０〜２００μｍ幅の多数の細線を０〜２００μｍ間隔で形成してなることを特徴とする表示盤。
【請求項１２】
請求項１１において、上記細線は、上記インクジェット印刷により形成された上記紫外線硬化性インクからなる描線をその厚み方向に２層以上積層してなることを特徴とする表示盤。
【請求項１３】
請求項１２において、上記細線は、上記描線の積層方向において、上記樹脂基板から離れるにつれてその幅が小さくなるように上記描線を積層してなることを特徴とする表示盤。
【請求項１４】
請求項１２又は１３において、積層状態にある上記描線の内、少なくとも２つ以上の上記描線は、互いに異なる色の上記紫外線硬化性インクからなることを特徴とする表示盤。
【請求項１５】
請求項１２〜１４のいずれか一項において、積層状態にある上記描線の最上層は、黒色又は黒系色からなることを特徴とする表示盤。
【請求項１６】
請求項１〜１５のいずれか一項において、上記凹凸層は、複数の上記凹部と複数の上記凸部とが交互に同心円状に配されてなる同心円模様を形成していることを特徴とする表示盤。
【請求項１７】
請求項１６において、上記同心円模様は中心位置が異なる二つ同心円からなり、その中心間距離は１０〜１０００μｍであることを特徴とする表示盤。
【請求項１８】
請求項１〜１５のいずれか一項において、上記凹凸層は、複数の直線状の上記凹部と複数の直線状の上記凸部とが交互に配されてなるヘアライン模様を形成していることを特徴とする表示盤。
【請求項１９】
請求項１〜１５のいずれか一項において、上記凹凸層は、複数の上記凸部が略同一の中心部又は該中心部付近から放射線状に配されてなる旭光目付模様を形成していることを特徴とする表示盤。
【請求項２０】
請求項１〜１９のいずれか一項において、上記表示盤の少なくとも一部には、真空成形又は圧空成形により立体形状が施されていることを特徴とする表示盤。
【請求項２１】
樹脂基板と、該樹脂基板上に形成された有色の意匠層と、該意匠層上又は上記樹脂基板における上記意匠層が形成された意匠面とは反対側の面に形成された、凹部と凸部とが交互に複数配されてなる凹凸層とを有する表示盤の製造方法であって、
上記樹脂基板上に、有色の着色インクを印刷することにより上記意匠層を形成する意匠層形成工程と、
少なくとも紫外線硬化性インクを吐出するインク吐出部と、紫外線ランプを内蔵する紫外線照射部と、被印刷物としての上記樹脂基板を保持する保持部とを備えるインクジェット印刷装置を用いて、上記意匠層上又は上記樹脂基板における上記意匠層を形成する上記意匠面とは反対側の面に上記インク吐出部から上記紫外線硬化性インクを吐出する吐出動作と、吐出された上記紫外線硬化性インクに上記紫外線照射部から紫外線を照射し、上記紫外線硬化性インクを硬化させる硬化動作とを繰り返し行うことにより、上記凹部の厚みよりも上記凸部の厚みが大きくなるように上記凹凸層を形成する凹凸層形成工程とを有し、
該凹凸層形成工程においては、上記インクジェット印刷装置の上記インク吐出部を上記保持部に対して相対的に毎分２０〜２００ｍで、一方向に移動させながら上記紫外線硬化性インクを吐出し、上記紫外線を照射して印刷する動作と、上記インク吐出部に対して上記保持部を上記一方向に対して直角に１ピッチ移動させる動作とを繰り返すことにより上記凹凸層を形成することを特徴とする表示盤の製造方法。
【請求項２２】
請求項２１において、上記意匠層形成工程においては、上記意匠層の少なくとも一部を、メタリック顔料、金属微粒子、及び金属箔から選ばれる１種以上を含有する上記着色インクによって形成することを特徴とする表示盤の製造方法。
【請求項２３】
請求項２１又は２２において、上記意匠層形成工程においては、上記着色インクを１層又は２層以上積み重ねて印刷することにより、１層又は２層以上の着色層からなる上記意匠層を形成するとともに、上記着色層のうち少なくとも１層としては、メタリック顔料及び／又は金属粒子を含有する上記着色インクによって、金属色着色層を形成することを特徴とする表示盤の製造方法。
【請求項２４】
請求項２３において、上記意匠層形成工程においては、上記樹脂基板の上記意匠面上にＪＩＳＫ５６００に規定する表面６０度−光沢度５以上の下地印刷層を形成し、該下地印刷層上に上記金属色着色層を形成し、上記凹凸層形成工程においては、上記意匠層上に上記凹凸層を形成することを特徴とする表示盤の製造方法。
【請求項２５】
請求項２１〜２４のいずれか一項において、上記樹脂基板としては、厚さ１ｍｍ以下の透明の樹脂基板を用いることを特徴とする表示盤の製造方法。
【請求項２６】
請求項２５において、上記樹脂基板としては、上記意匠面側の表面にＪＩＳＫ５６００に規定する表面６０度−光沢度５以上の鏡面を有する樹脂基板を用い、上記意匠層形成工程においては、上記樹脂基板の上記鏡面上に少なくとも上記金属色着色層を形成し、上記凹凸層形成工程においては、上記樹脂基板における上記意匠面とは反対側の面に上記凹凸層を形成することを特徴とする表示盤の製造方法。
【請求項２７】
請求項２１〜２６のいずれか一項において、上記凹凸層形成工程においては、上記インク吐出部から上記紫外線硬化性インクの液滴を、該液滴１個あたりの容積２０ｐＬ以下で吐出させることを特徴とする表示盤の製造方法。
【請求項２８】
請求項２１〜２７のいずれか一項において、上記凹凸層形成工程においては、上記凹凸層を透明の紫外線硬化性インクによって形成することを特徴とする表示盤の製造方法。
【請求項２９】
請求項２１〜２７のいずれか一項において、上記凹凸層形成工程においては、上記凹凸層をブラック、シアン、マゼンダ、イエロー、ライトブラック、ライトシアン、ライトマゼンダ、ライトイエロー、及びホワイトから選ばれる１種、又は２種以上の色の紫外線硬化性インクによって形成することを特徴とする表示盤の製造方法。
【請求項３０】
請求項２１〜２９のいずれか一項において、上記凹凸層形成工程においては、上記凹部と上記凸部との厚み差が１〜３００μｍとなるように上記凹凸層を形成することを特徴とする表示盤の製造方法。
【請求項３１】
請求項２１〜２９のいずれか一項において、上記凹凸層形成工程においては、上記インクジェット印刷により、５０〜２００μｍ幅の多数の細線を０〜２００μｍ間隔で形成することにより上記凹凸層を形成することを特徴とする表示盤の製造方法。
【請求項３２】
請求項３１において、上記凹凸層形成工程においては、上記インクジェット印刷により、上記紫外線硬化性インクからなる描線を形成すると共に、該描線をその厚み方向に２層以上積み重ねて印刷することにより上記細線を形成することを特徴とする表示盤の製造方法。
【請求項３３】
請求項３２において、上記描線を積み重ねて形成する際には、その積層方向において、上記樹脂基板から離れるにつれてより小さな幅の上記描線を積み重ねることを特徴とする表示盤の製造方法。
【請求項３４】
請求項３２又は３３において、積層状態で形成する上記描線の内、少なくとも２つ以上の上記描線を異なる色の上記紫外線硬化性インクで形成することを特徴とする表示盤の製造方法。
【請求項３５】
請求項３２〜３４のいずれか一項において、積層状態で形成する上記描線の内、最上層の上記描線を、黒色又は黒系色からなる上記紫外線硬化性インクによって形成することを特徴とする表示盤の製造方法。
【請求項３６】
請求項２１〜３５のいずれか一項において、上記凹凸層形成工程においては、複数の上記凹部と複数の上記凸部とが交互に同心円状に配されてなる同心円模様の上記凹凸層を形成することを特徴とする表示盤の製造方法。
【請求項３７】
請求項３６において、上記同心円模様は中心位置が異なる二つ同心円からなり、その中心間距離は１０〜１０００μｍであることを特徴とする表示盤の製造方法。
【請求項３８】
請求項２１〜３５のいずれか一項において、上記凹凸層形成工程においては、複数の直線状の上記凹部と複数の直線状の上記凸部とが交互に配されてなるヘアライン模様の上記凹凸層を形成することを特徴とする表示盤の製造方法。
【請求項３９】
請求項２１〜３５のいずれか一項において、上記凹凸層形成工程においては、複数の上記凸部が略同一の中心部又は該中心部付近から放射線状に配されてなる旭光目付模様の上記凹凸層を形成することを特徴とする表示盤の製造方法。
【請求項４０】
請求項２１〜３９のいずれか一項において、上記凹凸層形成工程における印刷は、解像度１２００ＤＰＩ×１２００ＤＰＩ以上で行うことを特徴とする表示盤の製造方法。
【請求項４１】
請求項２１〜４０のいずれか一項において、上記凹凸層形成工程においては、上記インク吐出部の移動方向と上記保持部の移動方向とで、異なる解像度で上記インクジェット印刷を行うことを特徴とする表示盤の製造方法。
【請求項４２】
請求項２１〜４１のいずれか一項において、上記樹脂基板の少なくとも一部に、真空成形・圧空成形によって、立体形状を施す成形工程を有することを特徴とする表示盤の製造方法。
【発明の詳細な説明】
【技術分野】
【０００１】
本発明は、金属調等の光沢及び質感を有する表示盤及びその製造方法に関する。
【背景技術】
【０００２】
従来より、例えば自動車の速度メータ等の表示盤としては、金属調等の光沢及び質感を有するものが作製されていた。具体的には、例えば図１８に示すごとく、樹脂基板８０上に、金属色等の有色の意匠層８９と、スクリーン印刷によって形成された傷模様層８１とを有する表示盤８がある。傷模様層８１は、周囲よりも厚みの大きな凸部８１１をスクリーン印刷により形成し、この凸部８１１よりも厚みの小さな凹部８１２と上記凸部８１１とが交互に配置するように、スクリーン印刷を行って形成されていた。このような表示盤８においては、傷模様層８１によって、意匠層３の色及び模様に光沢感及び質感を付与することができる。例えば意匠層８９として金属調や木目調等の色及び模様を施すことにより、上記表示盤８においては、金属や木目等の光沢感及び質感を表現できる。傷模様層８１は、例えばスクリーン印刷によって複数のライン（凸部８１１）を印刷することにより形成されていた。
【０００３】
従来のスクリーン印刷によってライン８１１を形成する方法においては、個々のライン幅の最小値が約０．２ｍｍ程度であり、ライン間隔の最小値が約０．３ｍｍ程度であった。これよりライン幅及びライン間隔を細かくするとライン８１１の掠れや隣り合うライン８１１同士の潰れが生じてしまうという問題があった。そのため、金属等の光沢感及び質感をより充分に表現するために要求される細かさを満たすことができなかった。
【０００４】
スクリーン印刷以外の方法により金属調等の光沢感及び質感を表現する方法としては、例えば図１９に示すごとく、金属板９０に対し、例えば旭光目付状に溝９２を形成する溝加工を行う方法がある（特許文献１及び特許文献２参照）。
このような方法によれば、干渉縞等を生じさせ、金属調の光沢感及び質感を充分に表現できるが、その反面、金属板９０を用い、これに金属加工を施すため、材料及び加工のためのコストが非常に高くなるという問題があった。また、アルミニウム等のように比較的薄い色の金属板９０においては、溝加工を行ってもあまり質感をだすことができないという問題があった。また、アルミニウム等の金属板９０においては、平坦部９１と溝部９２が同色のため、溝９２の深さを増してもあまり質感を強調できない。また、逆に干渉縞を抑制するために同一円周上の溝ピッチを変えることは、加工の原理上、非常に困難であった。
更に、通常、速度メータ等の表示盤においては、金属の質感を表現する部分と表現しない部分とが混在する。金属の質感を表現する部分を一つの金属板を用いて作製すると非常にコスト高となる。そのため、それぞれを別部品で構成すればある程度のコストを抑えることができる。しかし、その場合においても依然としてコストが高いという問題があった。
【０００５】
また、上述のスクリーン印刷以外にも、印刷方式としてはインクジェット印刷等がある。しかし、通常のインクジェット印刷、即ち一般家庭に広く普及している水系のインクジェット印刷により基板上に印刷を施す場合には、基板上に水系インクを吸収させるための受理層が必要となる。インクジェット印刷後には、上記受理層に水系インクが染み込むため、平坦な印刷層しか形成できず、傷模様等の凹凸層を形成することができなかった。
また、溶剤系インクジェットでは、インクを吐出して乾燥させるまでに、長時間放置させる必要がある。この乾燥時に、基板上のインクが自重により平坦化するため、溶剤系のインクジェット印刷においても、立体的な傷模様を形成することは困難であった。このように、インクジェット印刷においては印刷層が平坦になるため、金属の溝加工等のような立体形状を形成することが困難であった。そのため、インクジェット印刷により、金属等の光沢感や質感を表現することが困難であった。さらに、他のデジタル印刷方法である、レーザ印刷や熱転写印刷法でも、同様に立体的な印刷層を得るのは困難であった。
【０００６】
【特許文献１】特開２００３−４４９４号公報
【特許文献２】特開２００３−４４９５号公報
【発明の開示】
【発明が解決しようとする課題】
【０００７】
本発明はかかる従来の問題点に鑑みてなされたものであって、安価で、容易に金属等の光沢感及び質感を表現できる表示盤及びその製造方法を提供しようとするものである。
【課題を解決するための手段】
【０００８】
第１の発明は、樹脂基板と、該樹脂基板上に形成された有色の意匠層と、該意匠層上又は上記樹脂基板における上記意匠層が形成された意匠面とは反対側の面に形成された、凹部と凸部とが交互に複数配されてなる凹凸層とを有する表示盤であって、
上記凹凸層は、上記凹部の厚みよりも上記凸部の厚みが大きくなるように紫外線硬化性インクをインクジェット印刷により印刷し硬化させてなることを特徴とする表示盤にある（請求項１）。
【０００９】
上記第１の発明の表示盤においては、上記凹部と上記凸部とが交互に複数配されてなる上記凹凸層が、上記紫外線硬化性インクを用いた上記インクジェット印刷により形成されている。そのため、上記凹凸層の形成時においては、上記インクジェット印刷の上記紫外線硬化性インクが上記意匠層又は上記樹脂基板に着弾した直後に、紫外線を照射させて上記紫外線硬化性インクを硬化させることができる。それ故、上記紫外線硬化性インクが、着弾後に自重により平坦化してしまうことを防止することができ、硬化した紫外線硬化性インクを例えば積み重ねること等により上記凸部を簡単に形成することができる。そのため、厚みの大きな上記凸部を容易に形成することができ、立体的な上記凹凸層を形成することができる。
【００１０】
また、上記表示盤には、上記意匠層と上記凹凸層とが形成されている。そのため、上記表示盤においては、立体的な上記凹凸層で例えば傷模様等を形成し、上記意匠層の色や模様に光沢感の変化や質感を付与することができる。例えば、上記意匠層として金属色や木目調の層を形成することにより、上記表示盤においては、金属や木目の光沢感や質感を得ることができる。即ち、金属等の立体的な溝加工を擬似的に再現することができる。さらに、インクジェット印刷においては、１つのインク粒を数十μｍ単位で形成することが可能であるため、スクリーン印刷等よりもピッチ幅、即ち上記凸部と上記凸部との間隔を微細にすることができる。そのため、上記表示盤においては、例えば金属等の光沢感及び質感をより充分に表現することができる。
また、上記表示盤においては、金属加工等を行わずに、上記インクジェット印刷により金属等の光沢感や質感を表現できるため、上記表示盤の製造コストを低減させることができる。
【００１１】
以上のように、上記第１の発明によれば、安価で、容易に金属等の光沢感及び質感を表現できる表示盤を提供することができる。
【００１２】
第２の発明は、樹脂基板と、該樹脂基板上に形成された有色の意匠層と、該意匠層上又は上記樹脂基板における上記意匠層が形成された意匠面とは反対側の面に形成された、凹部と凸部とが交互に複数配されてなる凹凸層とを有する表示盤の製造方法であって、
上記樹脂基板上に、有色の着色インクを印刷することにより上記意匠層を形成する意匠層形成工程と、
少なくとも紫外線硬化性インクを吐出するインク吐出部と、紫外線ランプを内蔵する紫外線照射部と、被印刷物としての上記樹脂基板を保持する保持部とを備えるインクジェット印刷装置を用いて、上記意匠層上又は上記樹脂基板における上記意匠層を形成する上記意匠面とは反対側の面に上記インク吐出部から上記紫外線硬化性インクを吐出する吐出動作と、吐出された上記紫外線硬化性インクに上記紫外線照射部から紫外線を照射し、上記紫外線硬化性インクを硬化させる硬化動作とを繰り返し行うことにより、上記凹部の厚みよりも上記凸部の厚みが大きくなるように上記凹凸層を形成する凹凸層形成工程とを有し、
該凹凸層形成工程においては、上記インクジェット印刷装置の上記インク吐出部を上記保持部に対して相対的に毎分２０〜２００ｍで、一方向に移動させながら上記紫外線硬化性インクを吐出し、上記紫外線を照射して印刷する動作と、上記インク吐出部に対して上記保持部を上記一方向に対して直角に１ピッチ移動させる動作とを繰り返すことにより上記凹凸層を形成することを特徴とする表示盤の製造方法にある（請求項２１）。
【００１３】
上記第２の発明においては、上記意匠層形成工程と、上記凹凸層形成工程とを行うことにより、上記樹脂基板と上記意匠層と上記凹凸層とを有する表示盤を製造する。
上記意匠層形成工程においては、上記樹脂基板上に、有色の着色インクを印刷する。これにより、例えば金属色等の有色の上記意匠層を形成する。
また、上記凹凸層形成工程においては、上記インクジェット印刷装置を用いて、上記意匠層又は上記樹脂基板における上記意匠層を形成する上記意匠面とは反対側の面に、上記インクジェット印刷装置の上記インク吐出部から上記紫外線硬化性インクを吐出させる吐出動作と、吐出された上記紫外線硬化性インクに上記紫外線照射部から紫外線を照射し、上記紫外線硬化性インクを硬化させる硬化動作とを繰り返し行う。このとき、上記インクジェット印刷装置の上記インク吐出部を上記保持部に対して相対的に毎分２０〜２００ｍで一方向に移動させながら上記紫外線硬化性インクを吐出し硬化させる動作と、上記一方向に対して上記保持部を直角に１ピッチ移動させる動作とを繰り返す。
【００１４】
そのため、上記凹凸層形成工程においては、上記インクジェット印刷の上記紫外線硬化性インクが上記意匠層又は上記樹脂基板に着弾した直後に紫外線により上記紫外線硬化性インクを硬化させることができる。即ち、上記紫外線硬化性インクが、着弾後に自重により平坦化して厚みが小さくなる前に、上記紫外線硬化性インクを硬化させることができる。そのため、紫外線硬化性インクを積み重ねること等により厚みの大きな上記凸部を容易に形成させることができ、立体的な上記凹凸層を形成することができる。
【００１５】
さらに、上記凹凸層形成工程においては、上記インクジェット印刷により上記凹凸層を形成している。そのため、１つのインク粒を数十μｍ単位で形成することができ、スクリーン印刷等よりもラインピッチを微細にすることができる。そのため、上記表示盤においては、例えば金属等の光沢感及び質感をより充分に表現することができる。
また、上記表示盤においては、金属加工等を行わずに、上記インクジェット印刷により金属等の光沢感や質感を表現できるため、上記表示盤の製造コストを低減させることができる。
【発明を実施するための最良の形態】
【００１６】
次に、本発明の好ましい実施の形態につき説明する。
上記表示盤は、例えば自動車用スピード表示盤、及びエアコンの表示盤等に用いることができる。
上記表示盤は、樹脂基板と、該樹脂基板上に形成された有色の意匠層と、該意匠層上又は上記意匠層が形成された意匠面２１とは反対側の面に形成された凹凸層とを有する。
このような表示盤の一例を図３に示す。
この表示盤１においては、同図に示すごとく、凹凸層４は意匠面２１と反対側の面２２上に形成されている。この場合には、上記表示盤１を上記凹凸層４側から視認した際に、樹脂基板特有の光沢感を得ることができる。また、上記凹凸層４は、意匠層３上に形成することもできる（図４参照）。
【００１７】
上記意匠層は、クリア（透明）、ブラック、ホワイト、マゼンタ、シアン、イエロー、ライトシアン、及びライトマゼンタ等の着色インクを印刷することにより形成することができる。上記意匠層は、着色インクを１層又は複数層重ねて印刷することにより形成することができる。
また、上記意匠層においては、上記樹脂基板の上記凹凸層とは反対側の面から光を照射したときに、光を透過する透過部と光を透過しない不透過部とを形成することができる。上記不透過部は、マゼンタ、シアン、イエロー、ブラック等の色を組み合わせたり、またこれら有色の意匠層を複数層積み重ねて印刷形成することにより形成できる。
【００１８】
上記意匠層の少なくとも一部は、メタリック顔料、金属微粒子、及び金属箔から選ばれる１種以上を含有することが好ましい（請求項２）。
また、上記意匠層は、１層又は２層以上の着色層からなり、該着色層のうち少なくとも一層は、メタリック顔料、金属粒子、及び金属箔から選ばれる１種以上を含有する金属色着色層からなることが好ましい（請求項３）。
これらの場合には、上記意匠層の少なくとも一部に金属調の光沢感及び質感を付与することができる。そのためこの場合には、上記凹凸層４によって傷模様感を付与することにより、上記意匠層における金属調の光沢感及び質感を強調させることができる。
【００１９】
また、上記金属色着色層は、上記樹脂基板の上記意匠面上に、ＪＩＳＫ５６００に規定する表面６０度−光沢度５以上の下地印刷層を介して形成されており、上記凹凸層は、上記意匠層上に形成されていることが好ましい（請求項４）。
このような表示盤の一例を図４に示す。
即ち、同図に示すごとく、表示盤１においては、樹脂基板２の意匠面２１上に、ＪＩＳＫ５６００に規定する表面６０度−光沢度５以上の上記下地印刷層３５が形成されている。該下地印刷層３５上に上記金属色着色層３１が積層形成されている。さらに少なくとも金属着色層３１を有する意匠層３上に、凹部４２と凸部４１とが交互に複数配されてなる上記凹凸層４が形成されている。
この場合には、上記下地印刷層３５の光沢性を活かして、上記金属色着色層３１は、本物の金属から得られる光沢感に近い光沢感を発揮することができる。さらに、上記凹凸層４が上記金属色着色層３１を含む上記意匠層３上に形成されているため、擬似的に本物の金属に対して傷模様を加工して得られるような光沢感及び質感を得ることができる。
【００２０】
上記下地印刷層の光沢度は、ＪＩＳＫ５６００に規定する方法、具体的にはＪＩＳＫ５６００−４−７に規定する鏡面光沢度に準じた方法により測定することができる。表面６０度−光沢度５以上の下地印刷層は、該下地印刷層の表面に６０°の角度から光を照射したときの光沢度が５以上であることを示す。
下地印刷層の光沢度が５未満の場合には、下地印刷層の表面が粗い状態となるため、該下地印刷層上に形成される上記金属色着色層の光沢感が低減してしまうおそれがある。なお、上記下地印刷層は有色であっても透明であってもよい。
【００２１】
次に、上記樹脂基板としては、例えばポリカーボネートやポリエチレンテレフタレート（ＰＥＴ）等の熱可塑性樹脂からなるものを用いることができる。
また、上記樹脂基板としては、透光性の樹脂基板を用いることが好ましい。
この場合には、例えば上記凹凸層が形成された面とは反対側の面に配置した光源から上記表示盤に光を照射することにより、バックライト式の表示盤として用いることができる。より好ましくは、上記樹脂基板は、厚さ１ｍｍ以下の透明の樹脂基板からなることが好ましい（請求項５）。厚さが１ｍｍを越える場合には、例えば上記意匠層を、上記表示盤の使用者が視認する面とは反対側の裏面に形成してある場合に、上記意匠層を鮮明に視認することが困難になるおそれがある。また、上記意匠層と上記凹凸層との距離が大きくなるため、視認者が斜めから見た際に、上記意匠層と上記凹凸層とがずれて見え、見栄えが悪くなるおそれがある。
【００２２】
また、上述のごとく、上記樹脂基板が厚さ１ｍｍ以下の透明の樹脂基板からなる場合においては、上記樹脂基板は、上記意匠面側の表面にＪＩＳＫ５６００に規定する表面６０度−光沢度５以上の鏡面を有し、該鏡面上には、メタリック顔料、金属粒子、及び金属箔から選ばれる１種以上を含有する金属色着色層が形成されていると共に、上記凹凸層は、上記樹脂基板における上記意匠面とは反対側の面に形成されていることが好ましい（請求項６）。
その一例を図５に示す。
即ち、同図に示すごとく、表示盤１においては、樹脂基板２は、意匠面２１側の表面にＪＩＳＫ５６００に規定する表面６０度−光沢度５以上の鏡面２３を有し、該鏡面２３上に上記金属着色層３１が形成されている。さらに凹部４２と凸部４１とが交互に複数配されてなる上記凹凸層４は、樹脂基板２における意匠面２１とは反対側の面２２に形成されている。
この場合には、上記鏡面２３の光沢性を活かして、上記金属色着色層３１は、本物の金属から得られる光沢感に近い光沢感を発揮することができる。さらに、上記凹凸層４が上記意匠面２１とは反対側の面に形成されている。そのため、上記表示盤１を上記凹凸層４側から視認した場合に、上記のごとく優れた光沢感を有する上記金属色着色層２３を視認することができると共に、上記凹凸層４により、上記金属色着色層２３に立体感を生じさせることができる。それ故、擬似的に本物の金属に対して傷模様を加工して得られるような光沢感及び質感を得ることができる。
上記鏡面の光沢度は、上記下地印刷層と同様に、ＪＩＳＫ５６００に規定する方法により測定することができる。表面６０度−光沢度５以上の鏡面は、該鏡面に６０°の角度から光を照射したときの光沢度が５以上であることを示す。
この光沢度が５未満の場合には、上記鏡面が粗い状態となるため、該鏡面上に形成される上記金属色着色層の光沢感が低減してしまうおそれがある。
【００２３】
次に、上記凹凸層は、紫外線硬化性インクをインクジェット印刷することにより形成されている。上記紫外線硬化性インクとしては、例えばアクリル系ラジカル重合型、及びエポキシ系カチオン重合型等のインクを用いることができる。
【００２４】
また、上記凹凸層は、透明の上記紫外線硬化性インクよりなることが好ましい（請求項７）。
この場合には、上記意匠層の色彩を変えることなく、該意匠層の意匠に上記凹凸層によって光沢感の変化や質感を与えることができる。
【００２５】
また、上記凹凸層は、有色であり、ブラック、シアン、マゼンダ、イエロー、ライトブラック、ライトシアン、ライトマゼンダ、ライトイエロー、及びホワイトから選ばれる１種又は２種以上の色の上記紫外線硬化性インクよりなることが好ましい（請求項８）。
この場合には、上記意匠層を視認する角度によって、有色の上記凹凸層の色彩が変化するため、上記意匠層の意匠に、より多彩な質感を与えることができる。また、従来の金属加工においては、上述のごとくアルミニウム板等の薄い色の金属板の光沢感及び質感を強調させることは困難であったが、本発明においては、上記のごとく有色の上記紫外線硬化性インクを用いて上記凹凸層を形成することにより、アルミニウム色からなる上記意匠層の光沢感及び質感を強調させることが可能になる。
【００２６】
また、上記凹凸層における上記凹部４２は、その厚みを０μｍにすることができる。
即ち、例えば図６に示すごとく、凹部４２と凸部４２とが交互に複数配されてなる凹凸層４においては、凸部４１だけを上記紫外線硬化性インクのインクジェット印刷により形成し、凹部４２については紫外線硬化性インクの印刷を施さない非印刷部４２５を設けることによって形成することができる。
【００２７】
次に、上記凹凸層は、解像度１２００ＤＰＩ×１２００ＤＰＩ以上のインクジェット印刷によって形成されていることが好ましい（請求項９）。
上記凹凸層の解像度が１２００ＤＰＩ×１２００ＤＰＩ未満の場合には、解像度不足により、例えば直径１００ｍｍより小さな円弧の曲線が滑らかに表現できなくなるおそれがある。
【００２８】
また、上記凹部と上記凸部との厚み差は、１〜３００μｍであることが好ましい（請求項１０）。
上記凹部と上記凸部との厚み差について、図６を用いて説明する。
同図に示すごとく、表示盤１において、凹凸層４は、凹部４２と凸部４１とが交互に複数配されてなる。この凹部４２と凹部４１とに厚み差があることにより、凹凸層４は、立体的な傷模様等を表現することができる。
凹部４２と凸部４１との厚み差Ｔが１μｍ未満の場合には、凹凸層４の立体感が不十分になり、上記意匠層３の金属や木目調等の模様及び色に、充分な光沢感及び質感を付与することができなくなるおそれがある。一方、厚み差Ｔが３００μｍを越える場合には、上記凹凸層４の凹凸感が強調され過ぎてしまい、表示盤１の意匠層３が視認しづらくなってしまうおそれがある。より好ましくは、上記凹部と上記凸部との厚み差は５〜２００μｍがよい。
【００２９】
また、上記凹凸層は、上記インクジェット印刷により、５０〜２００μｍ幅の多数の細線を０〜２００μｍ間隔で形成してなることが好ましい（請求項１１）。
即ち、例えば図６に示すごとく、凹凸層４は、幅Ｗ＝５０〜２００μｍの多数の細線４３を、間隔Ｄ＝０〜２００μｍで形成してなることが好ましい。
上記細線４３の幅Ｗが５０μｍ未満の場合には、細線４３が細くなり過ぎて、上記凹凸層４により形成される例えば金属の傷模様等が認識しづらくなるおそれがある。一方、幅Ｗが２００μｍを越える場合には、細線４３が太くなりすぎて、上記凹凸層４により、例えば金属の傷模様等をリアルに表現することが困難になるおそれがある。また、細線４３同士の間隔Ｄが２００μｍを超える場合には、間隔が広くなりすぎて、凹凸層４により例えば金属の傷模様等を表現することが困難になるおそれがある。より好ましくは、上記細線４３同士の間隔Ｄは５μｍ以下がよい。
【００３０】
また、上記細線の間隔Ｄは０であってもよい。
即ち、図７に示すごとく、隣り合う２つの細線４３同士が接触していてもよい。この場合においても、細線４３の頂上部に凸部４１が形成されると共に、隣り合う２つの凸部４１の間に凹部４２が形成される。
上記細線４３は、上記インクジェット印刷により形成されている。即ち、上記細線４３は、上記インクジェット印刷により上記紫外線硬化性インクの液滴を上記樹脂基板２上に噴射し、該液滴を硬化させてなる。そのため、図７に示すごとく、細線４３の断面は、略半円状である。したがって、上記のごとく、細線４３同士の間隔Ｄを０にして隣り合う細線４３同士を部分的に接触させても、細線４３の頂上部に凸部４１が形成されると共に、隣り合う２つの細線４３の接触部分に凹部４２が形成される。よって、この場合にも、凸部４１と凹部４２とが交互に配されてなる上記凹凸層４を形成することができる。
【００３１】
なお、上記細線４３の幅Ｗは、細線４３の最大幅のことをいう（図６参照）。後述のごとく、幅の異なる複数の描線４５１、４５２、４５３を積み重ねて細線４３を形成する場合（図９参照）においても、細線の幅Ｗは、最大幅のことをいう。
一方、上記細線４３同士の間隔Ｄは、隣り合う細線４３同士の間隔であって、その最小の間隔をいう（図６参照）。後述のごとく、幅の異なる複数の描線４５１、４５２、４５３を積み重ねて細線４３を形成する場合（図９参照）においても、細線４３の間隔Ｄは、その最小の間隔のことをいう。
【００３２】
次に、上記細線は、上記インクジェット印刷により形成された上記紫外線硬化性インクからなる描線を厚み方向に２層以上積層してなることが好ましい（請求項１２）。
積層状態の描線によって細線を形成した一例を図８に示す。
即ち、同図に示すごとく、表示盤１においては、描線４５７、４５８、４５９を積層形成することにより細線４３を形成することができる。同図においては、この細線４３からなる凸部４１と凹部４２とが複数配されてなる凹凸層４が樹脂基板２上に形成されている。
この場合には、上記凸部４１と上記凹部４２との厚み差を大きくすることができ、より立体的な上記凹凸層４を形成することができる。
【００３３】
また、図９に示すごとく、上記細線４３は、上記描線４５１、４５２、４５３の積層方向において、上記樹脂基板２から離れるにつれてその幅が小さくなるように上記描線４５１、４５２、４５３を積層してなることが好ましい（請求項１３）。
即ち、同図に示すごとく、描線４５１、４５２、４５３を積層形成することにより細線４３を形成する場合において、描線４５１、４５２、４５３の積層方向（樹脂基板２の厚み方向）において樹脂基板２から離れるにつれて描線４５１、４５２、４５３の幅が徐々に小さくなるように形成されていることが好ましい。図９に示した例においては、描線４５２は描線４５１よりも小さな幅で形成されており、さらに描線４５３は描線４５２よりもさらにより小さな幅で形成されている。
この場合には、凸部４１の先端が鋭利になり、上記細線４３の厚みに対する上記凹凸層４による立体感の付与効果をより強調することができる。幅を変えずに上記細線４３の厚みを大きくしても、上記凸部４１と上記凹部４２との厚み差が大きくなり、凹凸層４を強調することができるが、その分、上記紫外線硬化性インクのインク量が多くなり、上記表示盤１の製造コストが増大してしまう（図８参照）。一方、図９に示すごとく、上記描線４５１、４５２、４５３の積層方向において、下層から上層に向けて徐々に幅が小さくなるように上記描線４５１、４５２、４５３を積層形成すると、上記細線の厚みをそれほど大きくしなくても、より立体的な上記凹凸層４を形成することができる（図９参照）。
【００３４】
また、積層状態にある上記描線の内、少なくとも２つ以上の上記描線は、互いに異なる色の上記紫外線硬化性インクからなることが好ましい（請求項１４）。
即ち、例えば図８及び図９に示すごとく、積層形成された描線４５１（４５７）、４５２（４５８）、４５３（４５９）のうち、少なくとも２層以上の描線は、互いに異なる色の紫外線硬化性インクからなることが好ましい。図８及び図９においては、異なる色の描線４５１（４５７）、４５２（４５８）、４５３（４５９）を、異なるハッチングにて示してある。
この場合には、厚み方向に色が変化する上記凸部４１を形成することができる。そのため、視認者に、見る角度によって多彩な光沢感及び質感を生じさせることができる。
【００３５】
また、上記細線において最上層の上記描線は、黒色又は黒系色からなることが好ましい（請求項１５）。
この場合には、上記凸部の山頂部（最上層）が強調され、上記凹凸層の立体感をより一層強調することができる。その結果、例えば金属の傷模様等をより強調することができる。
【００３６】
また、上述のごとく、上記凹凸層４において、上記凹部４２は、上記紫外線硬化性インクの印刷を施さない非印刷部４２５を設けることによって形成することができる（図６及び図８参照）が、例えば図１０に示すごとく、上記凸部４１よりも小さな厚みで上記紫外線硬化性インクからなる描線４５０を印刷することにより形成することもできる。
図１０に示す例においては、凸部４１は、３層の描線４５７、４５８、４５９を積層形成してなる。一方、凹部４２は、一層の描線４５０からなる。このように、凹部４２は、紫外線硬化性インクを印刷して形成することもできる。
【００３７】
次に、上記凹凸層は、複数の上記凹部と複数の上記凸部とが交互に同心円状に配されてなる同心円模様を形成していることが好ましい（請求項１６）。
この場合には、干渉縞（モアレ）を生じさせることができ、上述の光沢及び質感をより強調することができる。
同心円模様の一例（自動車の速度メータ）を図１に示す。同図に示すごとく、同心円模様は、例えば多数の同心円を紫外線硬化性インクからなる凸部４１によって形成することにより表現することができる。隣り合う２つの凸部４１の間には、該凸部よりも小さな厚みの上記凹部４２が形成される。
【００３８】
また、上記同心円模様は中心位置が異なる二つ同心円からなり、その中心間距離は１０〜１０００μｍであることが好ましい（請求項１７）。
中心位置が異なる二つの同心円からなる同心円模様の一例（自動車の速度メータ）を図１１に示す。同図に示すごとく、凹凸層４は、中止位置が異なる二つの同心円４８、４９からなる。各同心円４８、４９における同心円模様は、例えば多数の同心円を紫外線硬化性インクからなる凸部４１によって形成することができる。隣り合う２つの凸部４１の間には、該凸部４１よりも小さな厚みの上記凹部４２が形成される。二つの同心円４８、４９はそれぞれ中心Ｏ1及びＯ2を有し、中心Ｏ1と中心Ｏ2との中心間距離ｄが１０〜１０００μｍである。この場合には、２つの同心円により干渉縞をより強調させることができ、上述の光沢感及び質感をより一層強調することができる。
中心間距離ｄが１０μｍ未満の場合には、干渉縞の強調効果が充分に得られなくなるおそれがある。一方、１０００μｍを越える場合には、干渉縞の強調効果が過剰になり、視認者に不快感を与えてしまうおそれがある。
【００３９】
また、上記凹凸層は、複数の直線状の上記凹部と複数の直線状の上記凸部とが交互に配されてなるヘアライン模様を形成していることが好ましい（請求項１８）。
この場合にも、上記同心円模様の場合と同様に、干渉縞を生じさせることができ、上述の光沢感及び質感をより強調することができる。また、上記意匠層として、木目調の意匠層を形成してある場合には、上記ヘアライン模様の上記凹凸層によって、より自然な木目の素材感を上記意匠層に生じさせることができる。
へアライン模様の一例（自動車の速度メータ）を図１２に示す。同図に示すごとく、ヘアライン模様は、例えば多数の平行な直線（細線）を、紫外線硬化性インクからなる凸部４１によって形成することにより表現することができる。隣り合う２つの凸部４１の間には、該凸部４１よりも小さな厚みの凹部４２が形成される。このとき、凸部４１を形成する多数の直線（細線４３）においては、その長さ及び幅を適宜変更させることができる。
【００４０】
また、上記凹凸層は、複数の上記凸部が略同一の中心部又は該中心部付近から放射線状に配されてなる旭光目付模様を形成していることが好ましい（請求項１９）。
この場合にも、上記同心円模様及びヘアライン模様と同様に、干渉縞（モアレ）を生じさせることができ、上述の光沢感及び質感をより強調することができる。また、上記意匠層の意匠に立体感与えることができる。
旭光目付模様の表示盤の一例（自動車の速度メータ）を図１３に示す。同図に示すごとく、旭光目付模様は、例えば円の中心付近から外側に向かう放射線状の多数のラインを紫外線硬化性インクからなる凸部４１によって形成すること等により表現することができる。隣り合う２つの凸部４１の間には、該凸部よりも小さな厚みの凹部４２が形成される。
【００４１】
また、上記凹凸層は、蜜柑房模様を形成していることが好ましい。
蜜柑房模様の一例を図１４に示す。同図に示すごとく、蜜柑房模様は、扇状模様４７を時計回り又は反時計回りに複数配置してなる。扇状模様４７においては、円弧状曲線からなる上記凸部４１と円弧状曲線からなる上記凹部４２とが交互に配されいると共に、上記円弧状曲線はその長さが上記扇状模様４７の中央から外方に向けて順次大きくなっている。
このような蜜柑房模様を形成することによっても、干渉縞（モアレ）を生じさせることができ、上述の光沢感及び質感をより強調することができる。
【００４２】
また、上記扇状模様において、上記円弧状曲線は、上記扇状模様の中央から外方に向けてその曲率が順次小さくなっていることが好ましい。即ち、例えば図１４に示す蜜柑房模様において、扇状模様４７を構成する上記凸部４１の円弧状曲線は、扇状模様の中心Ｐ1に近づくほどから曲率が大きく、中心Ｐ１から遠ざかるほど曲率が小さくなっている。
この場合には、外光の乱反射を発生させることができ、更なる質感を付与することができる。
【００４３】
また、図１５に示すごとく、上記蜜柑房模様は、中心角θの異なる複数の上記扇状模様４７を時計回り又は反時計回りに配置してなることが好ましい。
この場合には、表示盤１の意匠性を向上させることができる。さらに、各扇状模様４７の各エリアで光の反射量が変化するため、例えば上記表示盤１を自動車の速度メータ等として用いた場合に、速度メータの指針が指すエリアに応じて盤面の見え方（反射ゾーン）が変化する。そのため、視認者（運転者）による速度メータの即読性を向上させることができる。図１５においては、時計回りに中心角θが大きくなるように扇状模様４７を配置してなる上記蜜柑房模様の例を示しており、θ1＜θ2となっている。上記扇状模様の中心角θは、扇状模様の外形を扇形とみなしたときの扇形の中心角である。
【００４４】
また、図１６に示すごとく、上記蜜柑房模様においては、複数の上記扇状模様４７をその中心位置Ｐをずらしながら時計回り又は反時計回りに配置させることができる。扇状模様４７の中心位置Ｐは、扇状模様４７の外形を扇形とみなしたときの中心である。同図に示すごとく、例えば扇状模様４７１の中心位置Ｐ1及び扇状模様４７２の中心位置Ｐ2は、一致していない。
この場合には、同心円模様等では表現できなかった表面のハレーション等が表現可能となる。即ち、一般に、反射率や屈折率は凹凸層の曲率に大きく影響される。しかし、一定の同心円では表示盤のサイズにより曲率がほぼ決まってしまうため、同心円模様等による質感は、線の間隔、太さ、及び高さ等によって制御するしかない。これに対し、上記蜜柑房模様においては、各扇状模様によって円の曲率を区切ることができるため、より多彩な質感の表現が可能となる。
【００４５】
また、上記樹脂基板の少なくとも一部には、真空成形又は圧空成形により立体形状が施されていることが好ましい（請求項２０）。
この場合には、上記表示盤に例えばゆるやかな曲面等の上記立体形状が形成されるため、外光の反射が顕著になり、一層質感を高めることができる。
【００４６】
次に、上記表示盤を製造するにあたっては、上記意匠層形成工程と上記凹凸層形成工程とを行う。
上記意匠層形成工程においては、上記樹脂基板上に、有色の着色インクを印刷することにより上記意匠層を形成する。
上記凹凸層形成工程においては、少なくとも紫外線硬化性インクを吐出するインク吐出部と、紫外線ランプを内蔵する紫外線照射部と、被印刷物としての上記樹脂基板を保持する保持部とを備えるインクジェット印刷装置を用いて、上記意匠層上又は上記樹脂基板における上記意匠層を形成する上記意匠面とは反対側の面に上記インク吐出部から上記紫外線硬化性インクを吐出する吐出動作と、吐出された上記紫外線硬化性インクに上記紫外線照射部から紫外線を照射し、上記紫外線硬化性インクを硬化させる硬化動作とを繰り返し行うことにより、上記凹部の厚みよりも上記凸部の厚みが大きくなるように上記凹凸層を形成する。
【００４７】
上記インクジェット印刷装置としては、例えば図１７に示すごとく、少なくとも、紫外線硬化性インクを吐出するインク吐出部５１と、紫外線ランプを内蔵する紫外線照射部５２と、被印刷物（樹脂基板）２を保持する保持部５３とを有するインクジェット印刷装置５を用いることができる。同図に示すインクジェット印刷装置５においては、インク吐出部５１と紫外線照射部５２とが第１の駆動部５４により、一方向Ａに直線往復移動する一方で、保持部５３は、この一方向Ａに対して直角方向Ｂに第２の駆動部５５によって直線往復移動するように構成されている。
【００４８】
上記凹凸層形成工程においては、インクジェット印刷装置５のインク吐出部５１を保持部５３に対して相対的に毎分２０〜２００ｍで、一方向Ａに移動させながら紫外線硬化性インクを吐出し、紫外線を照射して印刷する動作と、インク吐出部５１に対して保持部５３を一方向Ａに対して直角に１ピッチ移動させる動作とを繰り返すことにより凹凸層４を形成する（図１７参照）。
上記インク吐出部の移動速度が２０ｍ／分未満の場合には、上記インク吐出部から吐出される上記紫外線硬化性インクの液滴が潰れ易くなり、立体感のある上記凹凸層を形成することができなくなるおそれがある。一方、２００ｍ／分を越える場合には、上記インク吐出部５１が移動することによって発生する空気の乱流により、上記インク吐出部から吐出されるインクが飛散し、インクの着弾精度が低下するおそれがある。そのため、上記凹凸層を所望の形状で形成することが困難になる場合がある。
【００４９】
また、上記意匠層形成工程においては、上記意匠層の少なくとも一部を、メタリック顔料、金属微粒子、及び金属箔から選ばれる１種以上を含有する上記着色インクによって形成することが好ましい（請求項２２）。
また、上記意匠層形成工程においては、上記着色インクを１層又は２層以上積み重ねて印刷することにより、１層又は２層以上の着色層からなる上記意匠層を形成するとともに、上記着色層のうち少なくとも１層としては、メタリック顔料及び／又は金属粒子を含有する上記着色インクによって、金属色着色層を形成することが好ましい（請求項２３）。
これらの場合には、金属調の上記意匠層を形成することができ、上記凹凸層によって例えば傷模様等を形成することにより、上記意匠層における金属調の光沢感及び質感を強調させることができる。
【００５０】
上記意匠層形成工程においては、上記樹脂基板の上記意匠面上にＪＩＳＫ５６００に規定する表面６０度−光沢度５以上の下地印刷層を形成し、該下地印刷層上に上記金属色着色層を形成し、上記凹凸層形成工程においては、上記意匠層上に上記凹凸層を形成することが好ましい（請求項２４）。
この場合には、上記下地印刷層の光沢性を活かして、本物の金属から得られる光沢感に近い光沢感を有する上記金属色着色層を形成することができる。さらに、上記凹凸層を上記金属色着色層を含む上記意匠層上に形成しているため、擬似的に本物の金属に対して傷模様を加工して得られるような光沢感及び質感を示す上記表示盤を製造することができる。上記下地印刷層の光沢度は、上述のごとく、ＪＩＳＫ５６００、具体的には、ＪＩＳＫ５６００−４−７に規定する方法により測定することができる。この光沢度が５未満の場合には、上記下地印刷層の表面が粗い状態となるため、該下地印刷層上に形成される上記金属色着色層の光沢感が低減してしまうおそれがある。
上記下地印刷層は、インクジェット印刷やグラビア印刷等により形成することができる。また、上記下地印刷層は、有色であっても無色（透明）であってもよい。上記下地印刷層は、上記意匠層の一部として形成することができるが、上記意匠層とは別の印刷層として形成することもできる。
【００５１】
次に、上記樹脂基板としては、厚さ１ｍｍ以下の透明の樹脂基板を用いることが好ましい（請求項２５）。
この場合には、上記凹凸層と上記意匠層とをそれぞれ上記樹脂基板の反対側の面に形成しても、上記凹凸層側から上記表示盤を観察した視認者が反対側の上記意匠層を鮮明に視認することができる。
【００５２】
また、上記樹脂基板としては、上記意匠面側の表面にＪＩＳＫ５６００に規定する表面６０度−光沢度５以上の鏡面を有する樹脂基板を用い、上記意匠層形成工程においては、上記樹脂基板の上記鏡面上に少なくとも上記金属色着色層を形成し、上記凹凸層形成工程においては、上記樹脂基板における上記意匠面とは反対側の面に上記凹凸層を形成することが好ましい（請求項２６）。
この場合には、上記鏡面の光沢性を活かして、本物の金属から得られる光沢感に近い光沢感を発揮できる上記表示盤を製造することができる。さらに、上記凹凸層を上記意匠面とは反対側の面、即ち、上記意匠層が形成された面とは反対側に形成している。そのため、上記表示盤を上記凹凸層側から視認した場合に、上記のごとく優れた光沢感を有する上記金属色着色層を視認することができると共に、上記凹凸層により、上記金属色着色層に立体感を生じさせることができる。その結果、上記表示盤は、擬似的に本物の金属に対して傷模様を加工して得られるような光沢感及び質感を示すことができる。
上記鏡面の光沢度は、ＪＩＳＫ５６００に規定する方法により測定することができる。この光沢度が５未満の場合には、上記鏡面が粗い状態となるため、該鏡面上に形成する上記金属色着色層の光沢感が低減してしまうおそれがある。
【００５３】
上記凹凸層形成工程においては、上記インク吐出部から上記紫外線硬化性インクの液滴を、該液滴１個あたりの容積２０ｐＬ以下で吐出させることが好ましい（請求項２７）。
液滴１個あたりの容積が２０ｐＬを越える場合には、上記インク吐出部から吐出される上記紫外線硬化性インクの液滴が潰れ易くなり、立体感のある上記凹凸層を形成することが困難になるおそれがある。より好ましくは、液滴１個あたりの容積は１０ｐＬ以下がよい。
【００５４】
上記凹凸層形成工程においては、上記凹凸層を透明の紫外線硬化性インクによって形成することが好ましい（請求項２８）。
この場合には、上記意匠層の色彩を変えることなく、該意匠層の意匠に光沢感の変化や質感を与える上記凹凸層を形成することができる。
【００５５】
上記凹凸層形成工程においては、上記凹凸層をブラック、シアン、マゼンダ、イエロー、ライトブラック、ライトシアン、ライトマゼンダ、ライトイエロー、及びホワイトから選ばれる１種、又は２種以上の色の紫外線硬化性インクによって形成することが好ましい（請求項２９）。
この場合には、上記意匠層を視認する角度によって、有色の上記凹凸層の色彩が変化するため、上記意匠層の意匠により多彩な質感を与えることができる。また、従来の金属加工においては、上述のごとくアルミニウム板等の薄い色の金属板の光沢感及び質感を強調させることは困難であったが、本発明においては、上記のごとく、有色の上記紫外線硬化性インクを用いて上記凹凸層を形成することにより、アルミニウム色からなる上記意匠層の光沢感及び質感を強調させることが可能になる。
【００５６】
上記凹凸層形成工程においては、上記凹部と上記凸部との厚み差が１〜３００μｍとなるように上記凹凸層を形成することが好ましい（請求項３０）。
上記凹部と上記凸部との厚み差が１μｍ未満の場合には、上記凹凸層の立体感が不十分になり、上記意匠層の金属や木目調等の模様及び色に、充分な光沢感及び質感を付与することができなくなるおそれがある。一方、３００μｍを越える場合には、上記凹凸層の凹凸感が強調され過ぎてしまい、上記表示盤の上記意匠層が視認しづらくなってしまうおそれがある。より好ましくは、上記凹部と上記凸部との厚み差は５〜２００μｍがよい。
【００５７】
上記凹凸層形成工程においては、上記インクジェット印刷により、５０〜２００μｍ幅の多数の細線を０〜２００μｍ間隔で形成することにより上記凹凸層を形成することが好ましい（請求項３１）。
上記細線の幅が５０μｍ未満の場合には、細線が細くなり過ぎて、上記凹凸層により形成される例えば金属の傷模様等が認識しづらくなるおそれがある。。一方、幅が２００μｍを越える場合には、上記細線が太くなりすぎて、上記凹凸層により、例えば金属の傷模様等をリアルに表現することが困難になるおそれがある。また、上記細線の間隔が２００μｍを超える場合には、間隔が広すぎて、上記凹凸層により例えば金属の傷模様等を表現することが困難になるおそれがある。より好ましくは、上記細線の間隔は５μｍ以下がよい。
【００５８】
上記凹凸層形成工程においては、上記インクジェット印刷により、上記紫外線硬化性インクからなる描線を形成すると共に、該描線をその厚み方向に２層以上積み重ねて印刷することにより上記細線を形成することが好ましい（請求項３２）。
この場合には、上記凸部と上記凹部との差を大きくすることができ、より立体的な上記凹凸層を形成することができる。
【００５９】
また、上記描線を積み重ねて形成する際には、その積層方向において、上記樹脂基板から離れるにつれてより小さな幅の上記描線を積み重ねることが好ましい（請求項３３）。
この場合には、積層方向（樹脂基板の厚み方向）における樹脂基板から離れる向きに幅が徐々に小さくなる細線を形成することができる。そのためこの場合には、先端が鋭利な上記凸部を形成することができる。それ故、上記細線の厚みに対する上記凹凸層による立体感の付与効果をより強調することができる。
このような上記細線は、上記凹凸層形成工程において、上記描線を積み重ねて印刷する際に、下層の描線の幅よりも上層の描線の幅を小さくしながら描線を積層印刷することにより形成することができる。例えば上述の図９においては、三層の描線４５１、４５２、４５３を積み重ねて形成した細線の断面図が示されており、同図において、描線４５２は、その下層の描線４５１よりも小さな幅で積層形成されている。さらに描線４５３は、その下層の描線４５２よりも小さな幅で積層形成されている。
【００６０】
また、積層状態で形成する上記描線の内、少なくとも２つ以上の上記描線を異なる色の上記紫外線硬化性インクで形成することが好ましい（請求項３４）。
この場合には、厚み方向に色が変化する上記凸部を形成することができる。そのため、視認者に、見る角度によって多彩な光沢感及び質感を生じさせる上記表示盤を製造することができる。
【００６１】
積層状態で形成する上記描線の内、最上層の上記描線を、黒色又は黒系色からなる上記紫外線硬化性インクによって形成することが好ましい（請求項３５）。
この場合には、最上層が黒色又は黒系色からなる上記細線を形成することができる。そしてこの場合には、上記凹凸層における上記凸部の山頂部（最上層）が強調され、上記凹凸層の立体感をより一層強調することができる。その結果、例えば金属の傷模様等をより強調することができる。
【００６２】
また、上記凹凸層形成工程においては、複数の上記凹部と複数の上記凸部とが交互に同心円状に配されてなる同心円模様の上記凹凸層を形成することが好ましい（請求項３６）。
この場合には、干渉縞（モアレ）を生じさせることができ、上述の光沢感及び質感がより強調された上記表示盤を製造することができる（上述の図１参照）。
【００６３】
次に、上記同心円模様は中心位置が異なる二つ同心円からなり、その中心間距離は１０〜１０００μｍであることが好ましい（請求項３７）。
この場合には、２つの同心円により干渉縞（モアレ）をより一層強調することができる上記凹凸層を形成することができる。そのため、上述の光沢感及び質感がより一層強調された上記表示盤を製造することができる（上述の図１１参照）。
【００６４】
また、上記凹凸層形成工程においては、複数の直線状の上記凹部と複数の直線状の上記凸部とが交互に配されてなるヘアライン模様の上記凹凸層を形成することが好ましい（請求項３８）。
この場合にも、干渉縞（モアレ）を生じさせることができ、上述の光沢感及び質感がより強調された上記表示盤を製造することができる。また、上記意匠層として、木目調の意匠層を形成してある場合には、上記ヘアライン模様の上記凹凸層を形成することによって、より自然な木目の素材感を有する上記表示盤を製造することができる（上述の図１２参照）。また、直線状の上記凸部を形成するに際しては、その線幅や間隔を適宜変更して形成することができる。
【００６５】
また、上記凹凸層形成工程においては、複数の上記凸部が略同一の中心部又は該中心部付近から放射線状に配されてなる旭光目付模様の上記凹凸層を形成することが好ましい（請求項３９）。
この場合にも、干渉縞（モアレ）を生じさせることができ、上述の光沢感及び質感がより強調された上記表示盤を製造することができる（上述の図１３参照）。また、この場合には、上記意匠層の意匠性に立体感を付与することができる。
【００６６】
また、上記凹凸層形成工程においては、上述の扇状模様を時計回り又は反時計回りに複数配置してなる蜜柑房模様を形成することが好ましい。上記扇状模様は、上述のごとく、円弧状曲線からなる上記凸部と円弧状曲線からなる上記凹部とが交互に配されなると共に、上記円弧状曲線の長さが上記扇状模様の中心から外方に向けて順次大きくなるように上記円弧状曲線を配置して形成されている（上述の図１４参照）。
この場合にも、干渉縞を生じさせることができ、光沢感及び質感がより強調された上記表示盤を製造することができる。
【００６７】
また、上記凹凸層形成工程において、上記蜜柑房模様の上記凹凸層を形成する場合には、上記扇状模様の上記円弧状曲線を、その曲率が上記扇状模様の中央から外方に向けて順次小さくなるように形成することがことが好ましい（図１４参照）。
この場合には、上記凹凸層において外光の乱反射を発生させることができ、更なる質感を付与することができる。
【００６８】
また、上記凹凸層形成工程において、上記蜜柑房模様の上記凹凸層を形成する場合には、中心角θの異なる複数の上記扇状模様を時計回り又は反時計回りに配置させることにより形成することが好ましい（上述の図１５参照）。
この場合には、扇状模様の各エリアでの光の反射量が変化する上記凹凸層を形成することができ、上述のごとく自動車の速度メータ等に適した表示盤を製造することができる。
図１５においては、時計回りに中心角θが大きくなるように扇状模様４８を配置してなる上記蜜柑房模様の例を示しており、同図中θ1＜θ2となっている。
【００６９】
また、上記蜜柑房模様の上記凹凸層を形成する場合には、複数の上記扇状模様をその中心位置Ｐをずらしながら時計回り又は反時計回りに配置させることができる（上述の図１６参照）。
この場合には、線の曲率以外に、扇状模様の幅、および中心点からの扇状模様の半径距離を変化させることができる。そのため、例えば自動車の速度メータ等の用途において、指針から表示盤面に光を落とした際に、表面でハレーションの量を変化させることができる。具体的には、安全走行速度の指針領域ではハレーションを抑え、高速度になった場合は運転者に注意を促す意味でハレーションエリアを大きくするといった機能も付与することができる。
【００７０】
また、一般に、上記表示盤を例えば自動車の速度メータ等に用いる際には、搭載する自動車の種類に上記表示盤の搭載位置が変化する。本発明においては、上記のごとく、上記凹凸層形成工程において、運転者等の視認者からの視認角度に合わせて、例えば解像度等を変えて上記インクジェット印刷を行うことができる。そのため、最適な干渉縞の発生パターンを容易に形成させることができる。
【００７１】
上記凹凸層形成工程における印刷は、解像度１２００ＤＰＩ×１２００ＤＰＩ以上で行うことが好ましい（請求項４０）。
解像度が１２００ＤＰＩ×１２００ＤＰＩ未満の場合には、解像度不足により、例えば直径１００ｍｍより小さな円弧の曲線が滑らかに表現できなくなるおそれがある。
【００７２】
また、上記凹凸層形成工程においては、上記インク吐出部の移動方向と上記保持部の移動方向とで、異なる解像度で上記インクジェット印刷を行うことが好ましい（請求項４１）。
この場合には、干渉縞の発生パターンを変化させることができる。
具体的には、上記表示盤を例えば自動車用文字盤等に用いた場合には、自動車の種類によってその搭載位置が変わり、運転者からの視認角度が変化するおそれがある。上記のごとく異なる解像度でインクジェット印刷を行うと干渉縞の発生パターンを変化させることができるため、最適な干渉縞の発生パターンを調整することができる。
【００７３】
また、上記表示盤の製造方法においては、上記意匠層形成工程及び上記凹凸層形成工程の他に、上記樹脂基板の少なくとも一部に、真空成形・圧空成形によって、立体形状を施す成形工程を行うことが好ましい（請求項４２）。
この場合には、上記表示盤に例えばゆるやかな曲面等の上記立体形状を形成することができる。そのため、外光の反射が顕著で、より一層質感に優れた上記表示盤を製造することができる。
上記成形工程は、上記意匠層形成工程及び上記凹凸層形成工程を行う前又は行った後に行うことができる。また、上記意匠層形成工程と上記凹凸層形成工程との間や、これら工程の途中に行うこともできる。
【実施例】
【００７４】
（実施例１）
次に、本発明の表示盤の実施例につき、図１、図２、及び図１７を用いて説明する。
図１及び図２に示すごとく、本例の表示盤１は、樹脂基板２と、この上に形成された有色の意匠層３と、樹脂基板２における意匠層３が形成された意匠面２１とは反対側の面２２に形成された、凹部４２と凸部４１とが交互に複数配されてなる凹凸層４とを有する。凹凸層４は、凹部４２の厚みよりも凸部４１の厚みが大きくなるように紫外線硬化性インクの液滴をインクジェット印刷により印刷し硬化させてなる。
【００７５】
本例の表示盤１は、自動車用の速度メータである。図１に本例の表示盤１の正面図を示し、図２に表示盤１の部分断面拡大図を示す。
図２に示すごとく、本例の表示盤においては、意匠層３と凹凸層４とは、ポリカーボネート樹脂からなる透明の樹脂基板２における対向する二つの別々の面２１、２２にそれぞれ形成されている。
意匠層３を形成した意匠面２１側には、ＬＥＤ等の光源１５を配置することができる。また、本例において、意匠層３は、アルミニウム粉等を含有するメタリック顔料からなる金属色の着色インクで形成された金属色着色層３１と、黒色の着色インクで形成された黒色着色層３２と、透光性の白色の着色インクで形成された白色着色層３３とから形成されている。なお、金属着色層３１は、金属微粒子を含有する水系インクと、該水系インクを保護する透明インクとによって形成することもできる。
【００７６】
上記のように、３種類の着色層３１、３２、３３を形成することにより、本例の表示盤１においては、可視光を透過する透光部１８及び可視光を透過しない不透光部１９が形成される。透過部１８は光源１５から発生する光を透過できるため、表示盤１はバックライト方式の表示盤として用いることができる。また、黒色着色層によって構成された不透過部１９は、光源１５の光をほとんど透過せず、表示盤１における目盛りや文字の輪郭を表現する（図１参照）。
【００７７】
図２に示すごとく、金属色着色層３１が形成された部分には、その金属色着色層３１が形成された意匠面２１側とは反対側の面２２に、透明の凹凸層４が形成されている。凹凸層４は、複数の凹部４２と複数の凸部４１とが交互に同心円状に配されてなる同心円模様からなる。この凹凸層４の同心円模様によって干渉縞が生じ、金属色着色層３１を視認する運転者等に金属の光沢及び質感を表現させることができる。
【００７８】
また、凹凸層４は、複数の凹部４２と複数の凸部４１とが交互に同心円状に配されてなる同心円模様を形成している（図１参照）。図２に示すごとく、凹凸層４においては、凸部４１が透明性の紫外線硬化性インク（以下、適宜「ＵＶインク」という）により形成されており、凹部４２についてはＵＶインクの印刷を施さない非印刷部４２５を設けることによって形成されている。本例において、凸部４１は、厚さ５０μｍ、印刷線幅１００μｍで形成されており、凸部４１と凸部４１との印刷線間距離が２００μｍの同心円模様が形成されている。
【００７９】
次に、本例の表示盤の製造方法につき、説明する。
本例の表示盤１の製造方法においては、意匠層形成工程と凹凸層形成工程とを行う。
意匠層形成工程においては、樹脂基板２上に、有色の着色インクを印刷することにより意匠層３を形成する。また、凹凸層形成工程においては、インクジェット印刷装置を用いて、樹脂基板２における意匠層３を形成する意匠面２１とは反対側の面２２に紫外線硬化性インクを吐出する吐出動作と、吐出された紫外線硬化性インクに紫外線を照射し、紫外線硬化性インクを硬化させる硬化動作とを繰り返し行う。これにより、凹部４２の厚みよりも凸部４１の厚みが大きくなるように凹凸層４を形成する。
【００８０】
本例においては、図１７に示すごとく、少なくとも、紫外線硬化性インクを吐出するインク吐出部５１と、紫外線ランプを内蔵する紫外線照射部５２と、被印刷物としての樹脂基板２を保持する保持部５３とを備えるインクジェット印刷装置５を用いてインクジェット印刷を行う。同図に示すインクジェット印刷装置５においては、インク吐出部５１と紫外線照射部５２とが第１の駆動部５４により、一方向Ａに直線往復移動する一方で、保持部５３は、この一方向Ａに対して直角方向Ｂに第２の駆動部５５によって直線往復移動するように構成されている。
【００８１】
凹凸層形成工程においては、インクジェット印刷装置５のインク吐出部５１を保持部５３に対して相対的に毎分２０〜２００ｍで、一方向Ａに移動させながら紫外線硬化性インクを吐出し、紫外線を照射して印刷する動作と、インク吐出部５１に対して保持部５３を一方向Ａに対して略直角の方向Ｂに１ピッチ移動させる動作とを繰り返すことにより凹凸層を形成する。
【００８２】
以下、本例の表示盤の製造方法につき、図１、図２及び図１７を用いて詳細に説明する。
まず、ポリカーボネート樹脂からなる透明の樹脂基板２を準備した（図２参照）。この樹脂基板２の意匠面２１に、スクリーン印刷により、メタリック顔料からなる着色インクを用いて金属色着色層３１を印刷形成した。同様に、スクリーン印刷により、黒色の着色インクを用いて黒色着色層３２を形成し、さらに白色の着色インクを用いて半透明の白色着色層３３を順次積層形成した。このようにして、金属色着色層３１、黒尾色着色層３２、及び白色着色層３３の３種類の層からなる意匠層３を形成した。意匠層３において、目盛りや文字の輪郭を表す不透過部１９には、黒色着色層７を印刷した（図１及び図２参照）。また、黒色インク層７上から、樹脂基板２の意匠面２１の全面を覆うように、透光性の白色着色層３３を印刷した。なお、本例においては、金属色着色層３１は、上記のごとくメタリック顔料からなる着色インクを印刷することにより形成したが、金属微粒子を含有する水系インクを印刷し、この印刷層上にこれを保護する透明インクを積層印刷することにより形成することもできる。
【００８３】
次に、樹脂基板２における意匠面２１とは反対側の面２２に凹凸層４を形成する。
凹凸層４の印刷は、模様（同心円模様）をコンピュータにより作成し、この作成した画像に基づいて、ＵＶインクを用いたインクジェット法により、樹脂基板２に画像を印刷する。
本例の画像の作成においては、例えばＡｄｏｂｅ社製画像処理用ソフトウェアを用いた。また、インクジェット印刷装置５として、具体的には、ＵＶ硬化型インクジェット装置（東芝テック製インクジェットヘッド、ＵＶ照射光源同時駆動型ミマキエンジニアリング製ＵＪＦ６０５Ｃ、最高解像度：２４００ＤＰＩ、搭載ヘッド数：８ヘッド）を用いた（図１７参照）。この印刷機５は、インク吐出部（インクジェットヘッド）５１の真横に、紫外線照射を行う光源を内蔵する紫外線照射部５２が搭載されており、インク吐出部５１のノズルからインク滴を射出した後、射出したインク滴に対して直ちに紫外線を照射できるものである。
本例においては、インク吐出部５１のノズルからインク液滴が射出されてから紫外線を照射するまでの時間を例えば１秒以内とし、インク吐出部５１の移動速度は２０ｍ／分以上とした。
【００８４】
また、インク吐出部５１は、例えば一度のインクの吐出で目標の解像度の画像を印刷するのではなく、ヘッドが往復等して同一部位にインクを複数回射出することで、目標の解像度の画像を印刷するようになっている。例えば、ヘッドの解像度が１５０ＤＰＩの場合、ヘッドが８回（８ｐｕｓｓ）インクを射出することで、１２００ＤＰＩの画像が得られるようになっている。
なお、本明細書では、目標の解像度の画像を得るまでを１回の印刷としている。すなわち、１２００ＤＰＩの画像を印刷する場合、ヘッドの解像度が、例えば１５０ＤＰＩであれば、８回インクを射出したときが１回の印刷であり、ヘッドの解像度が１２００ＤＰＩであれば、１回インクを射出したときが１回の印刷である。
【００８５】
具体的には、まず、画像をコンピュータで作成した後、この画像データをインクジェット印刷装置５に入力した。このとき、印刷解像度、インクの液適量、単位面積あたりの印刷密度（インク滴吐出密度）を指定する。本例においては、解像度を１２００ｄｐｉ、インクの液適量を６ｐｌ（ピコリットル）、印刷密度を１００％と指定した。
次いで、この画像データが入力されたインクジェット印刷装置５を用いて、樹脂基板２の面２２上における意匠面２１側に形成された金属色着色層３１の領域に対し、凹凸層４の凸部４１を印刷する（図１、図２、及び図１７参照）。本例においては、単体ヘッドを用いて１回の印刷で、インク厚み３〜１０μｍの印刷層（凸部４１）が形成されるため、印刷を複数回行うことにより、厚みが５０μｍの凸部４１を形成した。他に、例えば、複数のヘッドを同時に用いて印刷を行うことにより、厚みの大きな凸部４１を短時間で形成することができる。また、ヘッドの移動速度を４０〜１００ｍ／分まで上げ、樹脂基板２に着弾したインク滴を瞬時に硬化させインク厚みを大きくすることにより、凸部４１の形成の短時間化を図ることもできる。
【００８６】
このようにして、複数の凸部４１を同心円状に印刷した。これにより、隣合う２つの凸部４１の間には、印刷が施されていない凹部４２が形成され、凹部と凸部とを交互に配してなる凹凸層４を形成し、意匠層３と凹凸層４とを有する表示盤１を作製した。
なお、製造された表示盤１を、図示しない指針、回動内機、光源等と共に、ケーシングおよび見返し板からなるハウジングに収納することで、車両用計器を完成することができる。
【００８７】
上記した実施形態では、表示盤１として、車両用計器の計器板を製造する場合を例として説明したが、他の分野における金属調を有する表示板の製造にも、本発明を適用することができる。例えば、家電製品の分野において、タッチパネル等の発光ダイオードの光を透過させて表示する表示盤にも、本発明を適用することができる。
【図面の簡単な説明】
【００８８】
【図１】実施例１にかかる、表示盤の正面図。
【図２】実施例１にかかる、表示盤の部分断面拡大図（図１の部分断面拡大図）。
【図３】意匠層と凹凸層とを樹脂基板の対向する２つの面にそれぞれ有する表示盤を示す説明図。
【図４】下地印刷層上に形成された意匠層を有する表示盤の部分断面拡大図。
【図５】樹脂基板の鏡面上に形成された意匠層を有する表示盤の部分断面拡大図。
【図６】非印刷部を形成することにより凹部を形成した凹凸層を有する表示盤の部分断面拡大図。
【図７】インクジェット印刷により複数の細線同士を接触させて形成した凹凸層を有する表示盤の部分断面拡大図。
【図８】複数の描線を積層してなる細線によって凸部を形成した凹凸層を有する表示盤の部分断面拡大図。
【図９】積層方向において樹脂基板から離れるにつれて描線の幅が小さくなるように複数の描線を積層してなる細線によって凸部を形成してなる凹凸層を有する表示盤の部分断面拡大図。
【図１０】凸部より小さな厚みで紫外線硬化性インクを印刷することにより凹部を形成した凹凸層を有する部分断面拡大図。
【図１１】中心の異なる２つの同心円模様の凹凸層が形成された表示盤の正面図。
【図１２】ヘアライン模様の凹凸層が形成された表示盤の正面図。
【図１３】旭光目付模様の凹凸層が形成された表示盤の正面図。
【図１４】蜜柑房模様の凹凸層が形成された表示盤の正面図。
【図１５】中心角が異なる複数の扇状模様からなる蜜柑房模様の凹凸層が形成された表示盤の正面図。
【図１６】中心位置をずらして複数の扇状模様を配置してなる蜜柑房模様の凹凸層が形成された表示盤の正面図。
【図１７】ＵＶ硬化型のインクジェット装置の概略の全体構成を示す斜視図。
【図１８】スクリーン印刷により形成した傷模様層を有する表示盤を示す説明図。
【図１９】金属板に形成した溝部を有する表示盤を示す説明図。
【符号の説明】
【００８９】
１  表示盤
２  樹脂基板
２１  意匠面
３  意匠層
４  凹凸層
４１  凸部
４２  凹部
【図１】
2007249028.tif 000003
【図２】
2007249028.tif 000004
【図３】
2007249028.tif 000005
【図４】
2007249028.tif 000006
【図５】
2007249028.tif 000007
【図６】
2007249028.tif 000008
【図７】
2007249028.tif 000009
【図８】
2007249028.tif 000010
【図９】
2007249028.tif 000011
【図１０】
2007249028.tif 000012
【図１１】
2007249028.tif 000013
【図１２】
2007249028.tif 000014
【図１３】
2007249028.tif 000015
【図１４】
2007249028.tif 000016
【図１５】
2007249028.tif 000017
【図１６】
2007249028.tif 000018
【図１７】
2007249028.tif 000019
【図１８】
2007249028.tif 000020
【図１９】
2007249028.tif 000021